(57)【要約】本発明の実施例は、関連する構成を有するフロア表示システム（１００）に関する。フロア表示システムは公共的な場所に配置され、広告やその他の情報コンテンツなどの変更可能な任意のコンテンツを電子的に表示するべく構成される。フロア表示システム（１００）は、近傍における人間の存在や活動の標識を検出し、この標識の検出に応答して、所定の表示やオーディオ出力を生成するような対応するアクションを実行するべく構成される。
2005526282.tif 000002
【特許請求の範囲】
【請求項１】
フロア表示システムであって、
フロアマットと、
前記フロアマットと関連付けられた電子表示装置と、
を有し、
前記電子表示装置は、電子的に変更可能な任意のコンテンツを表示するべく構成可能であるフロア表示システム。
【請求項２】
電子的に変更可能な任意のオーディオコンテンツを出力するべく構成可能なオーディオ装置を更に有する請求項１に記載のフロア表示システム。
【請求項３】
人間の存在又は活動に関連する標識を検出し、これに応答して、対応するアクションを前記フロア表示システムに実行させるべく構成されている検出メカニズムを更に有する請求項１に記載のフロア表示システム。
【請求項４】
前記検出メカニズムは、音響検知装置を有している請求項３に記載のフロア表示システム。
【請求項５】
前記検出メカニズムは、モーション検出装置を有している請求項３に記載のフロア表示システム。
【請求項６】
前記アクションは、所定の表示を生成する請求項３に記載のフロア表示システム。
【請求項７】
前記アクションは、所定のオーディオ出力を生成する請求項３に記載のフロア表示システム。
【請求項８】
前記検出メカニズムは、ＩＤ装置からＩＤ情報を受信するべく構成された非接触式入力装置を有している請求項３に記載のフロア表示システム。
【請求項９】
前記フロア表示システムは、前記ＩＤ情報に対応する特定の人間に関係するカスタマイズされた表示を生成するべく構成されている請求項８に記載のフロア表示システム。
【請求項１０】
前記非接触式入力装置は、商業施設内の少なくとも１つのアイテムに対応するトリップチケットから情報を受信するべく構成されている請求項８のフロア表示システム。
【請求項１１】
前記フロア表示システムは、前記商業施設内における前記少なくとも１つのアイテムの場所を表示するべく構成されている請求項１０に記載のフロア表示システム。
【請求項１２】
前記検出メカニズムは、携帯電話機検出装置を有している請求項３に記載のフロア表示システム。
【請求項１３】
前記検出メカニズムは、盗難から保護するべく商業施設内のアイテムを検出するセキュリティ装置を含んでいる請求項３に記載のフロア表示システム。
【請求項１４】
前記フロアマット及び電子表示装置は、足及び車輪の往来によって繰り返し横断されるべく構成されている請求項１に記載のフロア表示システム。
【請求項１５】
前記フロアマットは、前記足又は車輪の往来による前記フロアマットの横断を促進するべく、少なくと１つの傾斜表面を含んでいる請求項１４に記載のフロア表示システム。
【請求項１６】
前記フロアマットは、前記足又は車輪の往来による前記フロアマットの横断を促進するべく、その周囲の全体に傾斜表面を含んでいる請求項１４に記載のフロア表示システム。
【請求項１７】
前記フロアマットは、その周囲の全体に傾斜表面を具備する複合構造を形成しており、前記足及び車輪の往来による前記複合構造の横断を促進するべく、そのエッジに沿って結合可能な２つの部分からなる構造として形成されている請求項１４に記載のフロア表示システム。
【請求項１８】
前記電子表示装置は、表示の動的部分を形成しており、該動的部分は、前記表示の静的部分と組み合わせられている請求項１に記載のフロア表示システム。
【請求項１９】
前記フロア表示システムは、ネットワークに含まれている請求項１に記載のフロア表示システム。
【請求項２０】
前記電子表示装置は、発光ダイオード、有機発光ダイオード、エレクトロルミネッセンスディスプレイ、プラズマディスプレイ、電界放出ディスプレイ、強誘電性ディスプレイ、光ファイバディスプレイ、及びホログラフィックディスプレイの中の少なくとも１つを含む請求項１に記載のフロア表示システム。
【請求項２１】
前記フロア表示システムは、前記フロアマットを横断する往来から導出される機械的なエネルギーによって電源供給される請求項１に記載のフロア表示システム。
【請求項２２】
前記フロア表示システムは、前記ネットワークに対して無線で接続されている請求項１９に記載のフロア表示システム。
【請求項２３】
前記無線接続は、ＵＷＢモードの伝送を使用している請求項２２に記載のフロア表示システム。
【請求項２４】
前記電子表示装置は、少なくとも英数字データ及びグラフィック画像を、別個に又は組み合わせにより、且つ、静的又は移動する状態で、或いは静的又は移動する状態の両方において、表示する能力を有する請求項１に記載のフロアディスプレイ。
【請求項２５】
前記音響検知装置は、無指向性マイクロフォンを含んでいる請求項４に記載のフロアディスプレイ。
【請求項２５】
前記音響検知装置は、指向性マイクロフォンを含んでいる請求項４に記載のフロアディスプレイ。
【請求項２６】
前記モーション検出装置は、能動型のモーション検出を使用している請求項５に記載のフロアディスプレイ。
【請求項２７】
前記モーション検出装置は、受動型のモーション検出を使用している請求項５に記載のフロアディスプレイ。
【請求項２８】
前記能動型のモーション検出は、エネルギーを放射する装置を、前記放射したエネルギーを検出する装置と組み合わせて使用する段階を含む請求項２６に記載のフロアディスプレイ。
【請求項２９】
前記受動型のモーション検出は、赤外線エネルギーを検出する段階を含んでいる請求項２７に記載のフロア表示システム。
【請求項３０】
前記ＩＤ装置は、スマートカードである請求項８に記載のフロア表示システム。
【請求項３１】
前記フロア表示システムは、読取装置への前記ＩＤ装置の物理的な適用によってＩＤ装置からＩＤ情報を得るべく構成された前記読取装置を含む識別システムに接続されており、前記フロア表示システムは、前記ＩＤ情報に対応する特定の人間に関係するカスタマイズされた表示を生成するべく構成されている請求項１に記載のフロア表示システム。
【請求項３２】
前記ＩＤ装置は、スマートカードである請求項３１に記載のフロア表示システム。
【請求項３３】
前記携帯電話機検出装置は、近距離ＲＦ検出器を含んでいる請求項１２に記載のフロア表示システム。
【請求項３４】
前記セキュリティ装置は、認識装置が添付されたアイテムを検出するべく構成されたアンテナを有している請求項１３に記載のフロア表示システム。
【請求項３５】
特定のユーザー入力を受信し、対応する出力を生成するべく構成されたデータ入出力装置を更に有する請求項１に記載のフロア表示システム。
【請求項３６】
前記データ入出力装置は、音声認識装置を含んでいる請求項３５に記載のフロア表示システム。
【請求項３７】
前記データ入出力装置は、キーボードを含んでいる請求項３５に記載のフロア表示システム。
【請求項３８】
前記データ入出力装置は、プリンタを含んでいる請求項３５に記載のフロア表示システム。
【請求項３９】
前記対応する出力は、ユーザーによって入力されたアイテムの場所である請求項３５に記載のフロア表示システム。
【請求項４０】
前記対応する出力は、ユーザーによって入力されたアイテム用のクーポンである請求項３５に記載のフロア表示システム。
【請求項４１】
フロア表示システムであって、
フロアマットと、
離れたところから、前記フロアマット上に、電子的に変更可能な任意の画像コンテンツを投影するべく構成された画像投影装置と、
を有するフロア表示システム。
【請求項４２】
前記画像投影装置は、該画像投影装置を前記フロアマットに対して所望の場所に配置できるようにするべく、ガイダンス部材に移動可能に装着されている請求項４１に記載のフロア表示システム。
【請求項４３】
前記画像投影装置は、前記フロアマットと自動的にアライメントするように構成されている請求項４１に記載のフロア表示システム。
【請求項４４】
前記フロアマットは、白色又は銀色の表面を具備している請求項４１に記載のフロア表示システム。
【請求項４５】
前記画像投影装置は、フロアの凹部内に配置されており、前記フロアマットは、前記凹部の上方に配置されている請求項４１に記載のフロア表示システム。
【請求項４６】
前記フロアマットは、透過性を有する媒体を有している請求項４５に記載のフロア表示システム。
【発明の詳細な説明】
【技術分野】
【０００１】
（関連出願の相互参照）
本出願は、アメリカ合衆国法典第３５巻第１１９条（ｅ）項（35 U.S.C. § 119(e)）に基づいて、２００２年５月１６日付けで出願された米国仮特許出願第６０／３７８，０７０号の利益を主張するものである。尚、本出願は、２００２年１１月１日付けで出願された同時継続の出願第１０／２８５，６３９号の一部継続（ＣＩＰ出願）であり、この出願は、２００２年５月３日付けで出願され、２００３年１月１４日付けで米国特許第６、５０７，２８５号として発行された出願第１０／１３７，３５７号の継続出願である。出願第１０／１３７，３４７号は、２００１年１月２４日付けで出願され、２００２年７月９日付けで米国特許第６，４１７，７７８号として発行された出願第０９／７６７，８４６号の継続出願である。出願第０９／７６７，８４６号は、１９９９年１０月１５日付けで出願され、現在放棄されている出願第０９／４１８、７５２号の継続出願である。出願第０９／４１８，７５２号は、１９９９年５月４日付けで出願され、２００１年４月２４日付けで米国特許第６，２１９，８７６号として発行された出願第０９／３０４、０５１の一部継続出願である。
【０００２】
本発明は、フロア表示システムに関し、更に詳しくは、フロア表示システムを様々な商用アプリケーションに適合するためのいくつかの構成及び方法に関するものである。
【背景技術】
【０００３】
広告情報などの情報を公に伝達するための媒体としては、いくつかのものが周知である。このような媒体は、通常、「垂直のスペース」を利用している。即ち、これらの媒体は、通常、実質的に垂直である看板表示、壁や天井に設置した表示、及びテレビ画面やコンピュータのモニタ画面などの電子製品上の表示などである。
【０００４】
その一方で、大量の「水平のスペース」が存在しており、これらの大部分は、情報を公に伝達するべく、まだ使用されてはいない。このような水平スペースには、商業施設やその他公共建築物などの公衆往来領域のフロアスペースが含まれる。
【発明の開示】
【発明が解決しようとする課題】
【０００５】
米国特許第６，４１７，７７８号明細書には、フロアディスプレイによって情報を電子的に伝達するシステムが開示されている（この開示内容のすべては、本引用によって本明細書に包含される）。本開示は、このようなフロア表示システムに対するいくつかの有利な改善及び機能強化に関するものであり、特に、様々な商用又はその他の公共アプリケーションにおいて使用するいくつかの対話機能を含むフロア表示システムを開示するものである。
【課題を解決するための手段】
【０００６】
本発明の実施例は、対話機能を有するフロア表示システムに関するものである。このフロア表示システムは、商業施設やその他公共建築物などの公共的な場所に配置し、広告やその他の情報コンテンツなどの変更可能な任意のコンテンツを電子的に表示するべく構成可能である。実施例において、このフロア表示システムは、近傍における人間の存在や活動の標識を検出し、この標識の検出に応答して、対応するアクションを実行するべく構成可能である。例えば、人間の存在の標識を検出した際に、フロア表示システムは、これに応答して、所定の表示を生成可能である。又、フロア表示システムは、人間の検出に応答して、なんらかの所定のオーディオ出力を更に生成することもできる。以下、本発明のこれら及びその他の有利な実施例について更に詳細に説明する。
【発明を実施するための最良の形態】
【０００７】
前述のように、米国特許第６，４１７，７７８号明細書には、フロアディスプレイによって情報を電子的に伝達するシステムが開示されている。具体的には、このフロアディスプレイは、例えば、液晶ディスプレイなどの変更可能な電子ディスプレイ表面による提示を内蔵することができる。そして、このディスプレイをコンピュータに接続し、コンピュータによって生成される画像をディスプレイ上に表示可能である。この結果、異なるコンピュータ画像を生成し、このコンピュータ画像をディスプレイ上に表示することにより、ディスプレイ上に表示されている画像を変更することができる。このディスプレイは、フロアマットの凹部内に含めるなどによって、フロアマットの基部と関連付けることも可能であり、或いは、フロアマットの挿入部分の（上方に面した）底部表面上に含むことも可能である。或いは、この代わりに、ディスプレイは、基部又は挿入部分のいずれかと一体で形成することも可能である。この変更可能なディスプレイは、様々な方法のいずれかによってディスプレイ上に表示可能な複数の異なるグラフィックを利用することができる。例えば、これらのグラフィックは、ディスプレイ上の略固定された位置に表示したり、或いはディスプレイを横断してスクロールすることも可能であり、これら両方の模範的な方法によれば、複数のグラフィックが、個別に、又は組み合わされて、表示される。
【０００８】
フロアマット上に表示されたグラフィックを変更するためのその他の代替実施例においては、発光ポリマーを使用してグラフィックを生成（並びに、これにより、変更）する段階を含んでいる。発光ポリマーは、フロアマットに、塗布、付着、又は組込み可能である。発光ポリマーは、例えば、基部又は挿入部上、或いはフロアマットの異なる実施例のその他の部分上など、フロアマットのあらゆる部分上において利用可能である。尚、発光ポリマーについては周知であり、米国特許第５，９４５，５０２号、第５，８６９，３５０号、及び第５，５７１，６２６号明細書に記載されており、これらの開示内容のすべては、本引用により、本明細書に包含される。
【０００９】
ディスプレイのその他の実施例においては、電子インク又は電子ペーパーを使用している。尚、電子ペーパーは、Ｘｅｒｏｘ社から提供されており、米国特許第５，７２３，２０４号、第５，６０４，０２７号、第４，１２６，８５４号、及び第４，１４３，１０３号明細書に記載されている（これらの開示内容のすべては、本引用により、本明細書に包含される）。電子ペーパーでは、それぞれが略人間の髪の幅程度のジャイリコン（Gyricon）と呼ばれる数千の小さな帯電ビーズを採用してピクセルを生成している。ペーパーの表面を形成する液体が充填されたプラスチックのシート内に、２色調のビーズが埋め込まれている。半分は黒色で半分が白色のそれぞれのビーズは、電界に応答して旋回する。ビーズの黒色側と白色側のどちらが上に向いているかにより、画像を決定される。画像をリフレッシュする必要がなく、且つ画面が背面照射されていないため、電子ペーパーは、従来の電子ディスプレイが使用する電力のほんのわずかしか使用しない。ペーパー上に画像を得るには、電磁式のスタイラスとプリンタ様の装置を使用可能である。
【００１０】
電子インクは、エムエー０２１３８，ケンブリッジ，４５スピネル・ピーエル（45 Spinelli Pl., Cambridge, MA 02138）にあるイーインク社（E Ink Corp.）から提供されている。電子インクは、マイクロカプセル化されたマイクロメカニカルディスプレイシステムを使用している。小さなマイクロカプセルを２枚のプラスチック間に挟持してピクセルを生成する。或いは、この代わりに、カプセルを表面上にスプレーしてもよい。この結果、柔軟なディスプレイ材料が得られる。小さなカプセルは、透明であって、暗色インクと白色ペイントチップの混合物を含んでいる。このカプセルを電荷が通過する。そして、その静電荷に応じて、ペイントチップは、それぞれのカプセルの上部に浮くか、又は底部に位置することになる。ペイントチップが上部に浮いた場合には、表面は白く見える。一方、それらが底部に位置（即ち、インクの下に位置）した場合には、表面は黒く見える。そして、これら２つの状態（黒又は白）は、それぞれ安定している。シートの表面上に配置された透明な電磁グリッドによって画像の形状を制御する。このディスプレイは、例えば、モトローラ（Motorola：登録商標）ページングシステムを利用することにより、例えば、コンピュータに（そして、ワールドワイドウェブに）無線で接続可能である。複数のディスプレイを使用する場合には、ウェブページを通じて、単一のエディタにより、すべてのディスプレイ上のテキストを同時に変更可能である。
【００１１】
本発明の実施例によれば、前述のものに加えて、或いは、それらを代替する技術を使用して、フロア表示システムを実装することができる。本発明の実施例によるフロア表示システム１００が図１に示されている。フロア表示システム１００は、フロアマット１０２と関連付けられた電子表示装置１０１を含んでいる。具体的には、この表示装置１０１は、少なくとも部分的に、フロアマット１０２に接続されているか、これによって支持されているか、この内部に収容されているか、或いは、その他の方法により、これに対して関連付けられている。尚、これらのフロアマット１０２及び関連する電子表示装置１０１は、多くの構造的形態をとることが可能であり、且つ、様々なタイプの材料から構築可能であって、本明細書に示されている特定の形態に限定されるものではない。実施例においては、このフロアマット１０２及び電子表示装置１０１は、足による往来又はその他の（例えば、車輪を有するショッピングカートの）往来が存在する場所に使用するべく設計されている。従って、このフロアマット及び電子表示装置は、フロアマット及び表示装置に対する悪影響を無視可能な程度に留めつつ、繰り返し踏み付けられ、その上を歩行され、或いは、車輪を有するショッピングカートやその他の回転又はスライドする物体がこれらの上を横断できるように、十分に頑丈且つ丈夫である。電子表示装置は、例えば、頑丈な保護カバーを具備可能であり、このカバーは、これを通して電子表示装置を見ることができように透明又は半透明であり、且つ、引っかき傷、ひび割れ、欠け、裂け、又は環境の汚染によって生じる損傷などの足やその他の往来と関連する損傷から電子表示装置を保護している。尚、フロアマット１０２は、フロアに固定することも可能であり、或いは、異なる場所に容易に移動できるように携帯型であってもよい
【００１２】
図２Ａ及び図２Ｂは、フロアマット１０２の、それぞれ、上面図（即ち、平面図）及び側面図（即ち、正面図）である。この図２Ａ及び図２Ｂに示されているように、フロアマット１０２は、少なくとも１つの傾斜表面を有することができる。具体的には、フロアマット１０２は、このフロアマットに近づいてくる人間から、フロアマットの周囲のいずれにおいても傾斜表面が見えるように、上部表面２００（これは、前述のように、表示装置１０１の保護カバーの表面であってよい）から離れつつ下方に傾斜する複数の傾斜表面２１２、２１３、２１４、２１５を有することができる。このような構造によれば、例えば、フロアマットを商業施設の通路に配置した場合に、フロアマットの上を歩く人間や車輪を有するショッピングカートによるフロアマットの横断が容易になる。実施例によれば、表示装置１０１の少なくとも一部を、フロアマットの傾斜表面の１つ又は複数のものと同一平面内に位置するように構成することができる。この結果、ディスプレイがわずかに起き上がるため、フロアマットから離れた場所にいる（又は、フロアマットに近づきつつある）人間が表示装置の表示を容易に見ることができるようになる。
【００１３】
図２Ｃ〜図２Ｅは、本発明の実施例によるフロアマットを実装する代替方法の１つを示している。この図２Ｃ〜図２Ｅには、２つの部分からなる構造が示されている。この２部分構造は、別個であって実質的に同一のコンポーネント２２０及び２２１を有している。コンポーネント２２０は、上部表面２４０と傾斜表面２２５、２３０、及び２５０を具備している。一方、コンポーネント２２１は、上部表面２４１と傾斜表面２２６、２３１、及び２５１を具備している。それぞれのコンポーネント２２０、２２１は、フロア表示システムにおいて独立的に使用可能である。但し、図２Ｄ及び図２Ｅに示されているように、２つのコンポーネントをその個別のエッジ２６０、２６１に沿って結合し、その周囲のすべてに傾斜表面を具備する複合構造を形成することにより、この複合構造の横断を更に容易にすることができる。
【００１４】
次に、再度図１を参照すれば、フロアマット１０２と関連付けられた電子表示装置１０１は、静的（移動又は変化しない）又は動的（例：スクロール又はその他の方法によって移動又は変化する）フォーマットのいずれかにおいてグラフィック画像及び英数字データを電子的に表示するべく構成可能である。具体的には、電子表示装置１０１は、有線又は無線手段によってコントローラ１０３に接続し、ユーザーが選択したコンテンツを表示するべく、このコントローラ１０３を介して変更可能にすることができる。例えば、図１に示されているように、電子表示装置１０１は、ビデオグラフィックアダプタカード１０５などのディスプレイドライバ回路を介してコントローラに接続可能である。このコントローラ１０３は、例えば、ソフトウェアによって設定可能な汎用マイクロプロセッサ又はＡＳＩＣ（Application Specific Integrated Circuit）などのあらゆる種類の電子的な論理回路を含むことができる。電子表示装置のドライバ１０５は、コントローラ１０３と統合するか、或いはＡＳＩＣ内に組み込むことができる。又、コントローラは、プロセッサとメモリを有すると共に、ボード上に構築された１つ又は複数のディスプレイ駆動回路、並びに外界との通信及びメモリへのデータロードのための無線コンポーネントを有するシングルボードコンピュータの形態であってもよい。
【００１５】
コントローラは、ストレージ媒体１０４に接続可能であり、このストレージ媒体は、ＲＡＭ（Random Access Memory）、ＲＯＭ（Read-Only Memory）、フラッシュ又はその他の不揮発性半導体電子ストレージ、ＥＥＰＲＯＭ（Electrically Erasable and Programmable Read Only Memory）、或いは、磁気及び／又は光ディスクストレージを含むデジタルデータの保存に適したどのような形態の媒体であってもよい。このストレージ媒体１０４は、例えば、コントローラ１０３が実行する制御ソフトウェアと、表示するベく選択されたビデオコンテンツを電子ディスプレイ１０１上の制御ソフトウェアの制御下において保存することができる。このコントローラに、ディスプレイモニタ及びキーボードを有するパーソナルコンピュータなどのユーザーインターフェイス（図示されてはいない）を接続して特定の制御プログラムなどの特定のユーザー入力によるコントローラの設定を可能にすることにより、特定の表示及び／又はオーディオ出力を生成することができる。又、サウンドカード１０を介して、ラウドスピーカなどのオーディオ装置１１１をコントローラ１０３に更に接続可能である。このオーディオ装置１１１は、コントローラ１０３の制御下において、ストレージ媒体１０４内に保存されている選択されたオーディオコンテンツを出力することができる。フロア表示システム１００の各コンポーネントには、電源１１４から電源を供給可能である。又、このフロア表示システムは、後程詳述するように、フロア表示システムの様々な対話型アプリケーションを提供するための検知装置１１３を更に有することができる。そして、この検知装置１１３をコントローラ１１３に接続し、これに信号を供給可能である。尚、このコントローラに対する検知装置の接続は、有線又は無線であってよい。
【００１６】
例えば、共通システムバスに接続されたデータポート１０６などを使用して、データをストレージ媒体１０４に保存可能である。このバスは、ＵＳＢ（Universal Serial Bus）であってよい（但し、これは一例に過ぎない）。フロア表示システムは、例えば、無線ＷＡＮ／ＬＡＮカードを使用して実装された無線ポート１０７を更に有することができる。そして、フロア表示システム１００は、この無線ポート１０７を通じてネットワーク１２５に接続し、これと通信することができる。このネットワークは、インターネットなどのＷＡＮ（Wide Area Network）や、例えば、その他のフロア表示システムを含むＬＡＮ（Local Area Network）を含むどのような種類のネットワークであってもよい。このネットワーク１２５を通じて、フロア表示システム１００は、例えば、無線通信装置１１２を介して、ネットワークのサーバーコンピュータ１０８に接続可能である。このサーバーコンピュータ１０８は、データベース１０９に接続可能である。このデータベース１０９は、フロア表示システム１００の動作に関連する情報を保存することができる。例えば、データベースは、フロア表示システムのストレージ媒体１０４にダウンロード可能なビデオ及びオーディオコンテンツ又は制御ソフトウェアを収容することができる。即ち、フロア表示システム１００は、遠隔制御可能である。但し、フロア表示システム１００は、ネットワーク化する必要はなく、例えば、データポート１０６を介してコンテンツ及び制御ソフトウェアをローカルにダウンロードすることにより、ローカル制御することも可能である。又、図１には、無線通信による方法及びシステムが示されているが、有線システムも使用可能であり、有線システムと無線システムを組み合わせることも可能である。
【００１７】
前述のものに加え、本発明の実施例に利用可能な表示技術には、発光ダイオード（ＬＥＤ）、有機発光ダイオード（ＯＬＥＤ）、エレクトロルミネッセンス(ＥＬ）ディスプレイ、プラズマディスプレイパネル（ＰＤＰ）、電界放出ディスプレイ、及び強誘電性ディスプレイ（ＦＥＤ）が含まれる。又、実施例に利用可能なその他の表示技術には、光ファイバ技術も含まれ、この場合には、リモード画像が電子的に形成され、光ガイドソースを利用して、ファイバのアレイ又はバンドルに伝送される。このリモート画像光源は、フロアマットに内蔵又は外付けのいずれであってもよい。その他の想定される表示技術には、ホログラフィックディスプレイが含まれる。この技術の場合には、白色光又はレーザーホログラムをフロアマット１０２の内部又は外部において生成し、これをレンズ（通常、フレスネルレンズ）によって合焦することにより、人間がディスプレイ１０１を鋭角で見た場合にも見えるようにすることができる。
【００１８】
実施例によれば、前述のように、フロア表示システム１００の各コンポーネントは、フロアマット１０２の内部にすべて収容するか、フロアマット１０２の外部にすべて収容するか、或いは、いくつかのコンポーネントをフロアマット１０２の内部に収容し、その他のものを外部に収容することができる。
【００１９】
前述のように、フロア表示システムには、電源１１４を含むことができる。電源は、コードを通じて壁面コンセント電源から供給されるか、或いは、電池を使用することによってフロア表示システムに供給される。使用する電池は、非充電式又は充電式のいずれであってもよい。又、フロア表示システムに電源を提供するその他の可能な方法には、周辺光を電池に保存可能な（又は、表示システムに直接供給するべく使用される）電気に変換する光電池の使用が含まれる。この光電池は、例えば、フロアマット内に収容したり、或いは電源コードを通じてディスプレイに遠隔接続することができよう。
【００２０】
フロア表示システム１００に電源供給する更なる方法としては、例えば、フロアマット及び関連する表示装置を踏み付ける歩行者の圧力を機械エネルギーから電気エネルギに変換する手段によるものであってもよい。これは、なんらかの形態の圧電発電機又はその他の類似の手段によるものであってよい（但し、これは一例に過ぎない）。或いは、この代わりに、表示システム用の電気変換に必要な機械的エネルギーを、フロア内の近くの機械又は通行人からの振動によって供給することも可能であろう。
【００２１】
前述のように、コンピュータ及び／又はワールドワイドウェブなどのネットワークからの無線接続を使用し、画像コンテンツをフロア表示システムに伝送することができる。コンピュータ又はその他のプロセッサとフロア表示システムの制御電子回路間における無線接続は、多くの異なる技術によって実装可能である。最近の一般的な技術の１つは、無線Ｅｔｈｅｒｎｅｔであり、この場合には、１つのプロセッサ又はコンピュータは、ｒ−ｆ又は赤外線（ＩＲ）信号を通じてその他のものと通信することになる。但し、無線通信リンクは、多数の技術及びネットワークプロトコルによって確立可能である。
【００２２】
無線リンクは、超音波、光波（ＩＲ、可視、紫外線）、レーザー通信、高周波，テラヘルツ（teraHertz）、マイクロ波、電磁気、誘導結合、静電気、又は送信機と受信機間において電磁エネルギーを伝播させるその他の形態のものであってよい。又、ネットワークプロトコルも、イーサネット（Ethernet：登録商標）に加えて、トークンリング、ブルートゥース（Bluetooth：登録商標）モデム、セルラー及びＰＣＳ接続、又はその他のタイプの無線ＬＡＮ又はＷＡＮであってよい。データ転送のモードも、時分割、周波数分割、又は符号分割を含むことが可能であり、多元接続又はスペクトル拡散であってもよい。想定されるフロア表示システムのアプリケーションに好適な無線伝送の１つのモードは、ＵＷＢ（Ultra-Wide Band）伝送モードである。即ち、想定されるフロア表示システムの商用アプリケーションには、食料品店、百貨店、家庭電化製品店、産業設備、レストラン、ホテル、空港、アパート、及び住宅などの電子的な雑音の多い環境における使用が含まれており（但し、これは一例に過ぎない）、ＵＷＢ伝送は、このようなタイプの環境において良好に機能する（この理由の１つは、機械、遠隔ドア開閉装置、バーコードリーダー、その他のｒ−ｆ、ＴＶ、低帯域伝送などのその他の電子的な雑音の多いソースが存在する場合に、ＵＷＢによれば、広いスペクトルレンジ（通常、３〜１０ＧＨｚ）にわたる低パワースペクトル密度による高速データ通信が可能である）。又、ＵＷＢの場合には、任意のアンテナ位置又は方向によって小規模なフェージングが除去される。これは、フロア上に配置されるディスプレイにとって、非常に有用であろう。又、ＵＷＢは、狭帯域無線技術に特有のマルチパスによって誘発されるフェージングの悪影響に対しても相対的に有効である。
【００２３】
又、この無線通信には、フロア表示システムとの通信とこの制御に有用な現在既知の（又は、将来の）その他の技術も含まれる。例えば、この無線通信は、ＷｉＦｉ規格に対応するものであってよい。
【００２４】
前述のように、電気表示装置１０１は、少なくとも英数字データ及びグラフィック画像を表示する能力を有している。コンテンツには、選択されたビデオコンテンツに基づいて、英数字データのみ、グラフィック画像（例：写真）のみ、又はこれら２つの組み合わせを含むことが可能であり、これらは、静的であるか、又は移動するか、或いは、静的及び移動の両方の属性を有している。移動する英数字データ及び画像を、例えば、スクロールすることができる。これらの英数字データ及びグラフィック画像は、白黒又はフルカラーであってよい。更には、表示装置１０１は、複数の個別のディスプレイを含むことができる（即ち、表示装置の表示領域は、コンテンツに関してパーティション分割可能である）。例えば、表示領域には、それぞれが異なるコンテンツを表示する複数の異なる「ウィンドウ」を含むことができる。尚、このようなディスプレイのパーティション分割については、例えば、「分割画面」ＴＶや、広く普及しているマイクロソフト（Microsoft：登録商標）の「ウィンドウズ（Windows：登録商標）」ソフトウェアを含む様々なグラフィックソフトウェアアプリケーションの広範な使用を通じて周知である。
【００２５】
図３は、実施例による電子表示装置１０１の可能な構成の１つを示している。この図３においては、電子表示装置１０１は、「混合媒体」表示の動的部分を構成している。即ち、この図３の表示は、フロアマット１０２上部の露出表面が提示する表示全体の一部が電子的であり、その他の部分がそうではないという観点において、混合媒体表示である。図３においては、表示の非電子的であって固定された（即ち、静的な）部分３０２が、動的な（即ち、変化可能な）電子的部分１０１と組み合わせられている。但し、本明細書において使用されているこの「静的」という用語は、「非電子的」と同一視されるべきではないことに留意されたい。この例においては、固定部分は、「今日は、キャンベルスープが、    引です。」となっている。この固定部分は、例えば、フロアマット１０２の材料上部の露出部分に印刷可能であろう。一方、動的な部分は、フロアマット内に収容されている前述の表示技術の中の１つ又は複数のものを利用する電子表示装置１０１によって実装可能である。前述のように、この動的な部分を電子的に変更し、任意のコンテンツを表示することができる。例えば、この動的部分により、「３０％」や「４０セント」などのアイテムの販売価格に関連する情報を表示可能であろう。この結果、図２において、フロアディスプレイの全体は、「本日、キャンベルスープは、３０％引です。」又は「本日、キャンベルスープは、４０セント引です。」と表示することになる。このような静的部分と動的部分のメッセージの組み合わせを利用することにより、表示の電子的部分のサイズが大幅に削減され、この結果、コストを削減することができる。更には、スクローリング又はブリンキングのいずれかによってメッセージを動的に変更するべく、表示の動的部分を設計及びエンジニアリングすると共に、表示内に配置されているライトをフラッシュ又はブリンクさせて表示に注意を引き付けることにより、近くにいる人間の表示に対する認知度を大幅に向上させることができる。
【００２６】
前述のように、本発明によるフロア表示システムの実施例は、フロア表示システムの近くに位置する人間との対話機能を提供する。特に、検知装置１１３は、多数の異なる形態をとることが可能であって、これらのそれぞれにより、フロア表示システムの近くに位置する人間の存在を示す現象又は活動の検出が可能になると共に、これに応答して、フロア表示システムが、なんらかの対応するアクションを実行することになる。このような１つの実施例においては、検知装置１１３は、音響検知装置である。この音響検知装置１１３は、フロアマット１０２内に配置可能であり、或いは、フロアマットから離れた場所に配置することもできる。この音響検知装置は、人間がフロア表示システムに近づいた際に、彼又は彼女を検出し、これに対応する応答をフロア表示システムに生成させるべく構成可能である。例えば、この音響検知装置を有線又は無線接続を介してフロア表示システムに接続し、この接続を介して、信号をコントローラ１０３に送信することにより、人間の接近を示す音波を検出した際に、表示装置１０１を作動させるべく構成することができる。この信号を受信すると、コントローラ１０３は、例えば、表示コンテンツによって、セールをアナウンスしたり、製品を広告するなど、表示装置１０１に、所望のコンテンツの所定の表示を生成させることができる。このコンテンツは、近くの棚の製品に関係するものであってよい。又、音響検知装置からの信号に応答して、所望のコンテンツの所定のオーディオ出力を生成するべく、フロア表示システムを構成することも可能である。以上の内容に鑑み、このフロア表示システムは、能動モード（即ち、システムが能動的になんらかの表示及び／又はオーディオ出力を生成しているモード）と、休止又は静止モード（表示及び／又はオーディオ出力を能動的に生成していないモード）において動作可能である。静止モードには、電力を節約するべく、人間が近くに検出されない場合に入ることができる。尚、フロア表示システムは、なんらかのプログラムされたスケジュールに応じて、能動モードと静止モード間において交互に切り換え可能であり、或いは、前述のように、なんらかの信号に応答して、能動モードに入ることもできる。
【００２７】
音響検知装置は、所定の周波数の音響のみを検出し、これに応答して起動信号を表示システムに送信するべく調節可能である。具体的には、音響検知装置は、全般的な環境の雑音の程度に応じて、無指向性又は指向性のマイクロフォンのいずれかであってよい。無指向性マイクロフォンは、音響が到来する方向には無関係な一定の感度を具備しており、従って、静かな環境において、いずれかの方向から誰かが近づいてくるのを検出するのに有効である。無指向性マイクロフォンは、フロアマット内に配置された（又は、埋め込まれた）１つ又は複数の小さなエレクトレットマイクロフォンとして実装可能である。尚、エレクトレットマイクロフォンは、一例に過ぎず、ダイナミック及びコンデンサマイクロフォンも使用可能である。市販されている無指向性マイクロフォンには、オーディオテクニカ（Audio Technica：登録商標）のＭＴ８３０Ｒ、ディーピーエー（ＤＰＡ：登録商標）のＴｙｐｅ４０６０、及びＭＭＣ４０４１が含まれる（但し、これらは一例に過ぎない）。
【００２８】
雑音の多い環境においては（或いは、特定方向において人間の接近を検出する場合には）、指向性マイクロフォンが好ましい。指向性マイクロフォンは、明確な指向性応答を有するマイクロフォンであり、従って、無指向性マイクロフォンに比べ、ランダムな環境雑音を遮断しつつ、特定方向から到来する音響をフィルタリングすることができる。利用可能な市販の指向性マイクロフォンの例には、カージオイドマイクロフォン、スーパーカージオイドマイクロフォン、ショットガンマイクロフォンが含まれる。カージオイドマイクロフォンの例は、ディーピーエー（ＤＰＡ）のＴｙｐｅ４０２１、イーサウォーク（Earthworks：登録商標）のＡ３０Ｘ、及びシュアー（Shure：登録商標）のＳＭ５７が含まれる。スーパーカージオイドマイクロフォンの例には、ピーベイ（Peavey：登録商標）のＰＶＭ４８０及びエレクトロボイス（Electrovoice：登録商標）のＮＤ７６７Ａが含まれる。ショットガンマイクロフォンの例には、ベイヤーダイナミック（Beyerdynamic：登録商標）のＭＣＥ８６Ｓ．１、ゼンハイザー（Sennheizer：登録商標）のＫ６ＭＥ−６６、及びシュアー（Shure）のＳＭ８９が含まれる。マイクロフォンを使用する環境の雑音の程度に応じて、大きな指向性感度を有するマイクロフォンのほうが、小さな指向性感度を有するマイクロフォンよりも良好な結果を得ることができよう。例えば、非常に雑音の多い環境においては、スーパーカージオイド又はショットガンなどの高い指向性感度を有するマイクロフォンが好ましい。
【００２９】
対話機能を提供する更に別の実施例においては、検知装置１１３は、モーション検出装置であってよい。モーション検出装置１１３は、フロアマット１０２内に配置可能であり、或いは、例えば、フロアマットの近くの天井又は壁の上又は内部など、フロアマットから多少離れたところに配置することも可能である。モーション検出装置は、人間がフロア表示システムに接近した際に、彼又は彼女を検出し、対応する応答を生成させるべく構成可能である。例えば、モーション検出装置を有線又は無線接続を介してフロア表示システムに接続し、人間の接近を示すモーションを検出した際に、この接続を介して信号を送信して表示装置１０１を起動するべく構成可能である。表示装置１０１は、起動した際に、なんらかの所望の表示を生成可能であり、又、フロア表示システムは、対応するオーディオ出力を生成することも可能である。モーション検出装置は、特定領域のモーションのみを（又は、ディスプレイの周囲のモーションを）検出するべく調節可能である。又、モーション検出装置は、例えば、施設に入ってくる顧客によってのみモーション検出装置及び対応する表示がトリガされるように、指向性感度を有することも可能である。尚、ディスプレイと関連して使用可能なモーション検出装置には、ＩＲ技術、簡単なレーダー、又は光ビームを利用するモーション検出装置が含まれる（但し、これらは一例に過ぎない）。
【００３０】
モーション検出装置１１３を実装するには、能動型モーション検出及び受動型モーション検出の使用を含む多数の異なる方法が存在している。能動型モーション検出システムは、通常、環境内にエネルギー（例：光、マイクロ波、又は音響）を注入し、次いで、そのエネルギーにおける変化を検出する。例えば、店舗の場合には、店舗の入口通路の近くのスペースを横断する光ビームを放射する装置と、このビームによって生成される入射光の量を計測するべく反対側に配置された対応する光センサを具備することが一般的である。顧客がビームを横断すると（従って、ビームを遮断すると）、光センサが入射光の量の変化を検出し、ベルを鳴らすなどの可聴警報を鳴動させることができる。この種の検出システムを使用することにより、人間が接近していることをフロア表示システムに通知することができよう。同様に、多くの食料品店においては、誰かがドアの近くを通過したことを検出する非常に簡単な形態のレーダーを使用する自動ドア開閉装置を具備している。このようなシステムにおいては、ドアの上方に配置された放射器／受信機装置を使用可能である。放射器部分がマイクロ波の無線エネルギーのバーストを送出し、跳ね返って戻ったこの反射エネルギーを受信機部分が検出するのを待つのである。このマイクロ波のフィールド内に人間が進入すると、反射エネルギー（又は、反射が受信機部分に到達するのに要する時間）の量が変化し、放射器／受信機が、これに相応して、ドアを自動的に開く信号を生成する。又、超音波を使用して同様の動作を実行することも可能である（即ち、ターゲットに超音波を弾ませてエコーを待ち、このエコーに基づいてなんらかの所定のアクションを実行するのである）。
【００３１】
受動型のモーション検出システムには、赤外線エネルギーを検出してモーションを検出するシステムが含まれる。このようなシステムは、ＰＩＲ（Passive InfraRed）センサ又は焦電型センサと呼ばれるセンサを含むことができる。ＰＩＲ又は焦電型センサは、例えば、人間の体温に敏感に反応するように設計されたセキュリティシステムにおいて使用可能である。人間は、約華氏９３度の皮膚温度を具備しており、９〜１２マイクロメートルの波長を有する赤外線エネルギーを放射する。従って、センサは、通常、８〜１２マイクロメートルの波長範囲において感度を有している。これらのセンサは、通常、光センサと同様に、単純な電子コンポーネントであり、ソースから放射された赤外線エネルギーが、ＰＩＲ又は焦電型センサの基板から電子をはじき出す。そして、これらの電子を検出し、なんらかの所定動作の起動に使用可能な電気信号に増幅することができる。人間がセンサの近くを歩くと、センサの「視界」内の赤外線エネルギーの量が急激に変化し、容易に検出可能である。モーションの検出に使用するのは、突然の変化である。又、ＰＩＲ又は焦電型センサは、広い又は狭い視界を具備するべく構成可能である。広い視界は、例えば、センサ上にレンズを配置することによって生成可能である。一方、狭い視界は、レンズなしで、センサを使用することによって実現可能であって、モーションの検出を所望する方向に開いた凹部、又は箱、或いはチューブ内にセンサを配置することにより、視界を更に狭めることができる。尚、本発明によるフロア表示システムは、前述のシステム及び方法のいずれか又はそれらの組み合わせ、或いは本明細書には開示されていないシステム及び方法を使用してモーション検出装置１１３を実装可能である。
【００３２】
本発明の実施例によるフロア表示システムの場合には、物理的な環境内のその他のイベントに基づいて人間の存在又は移動を検出することにより、対話機能を付与することも可能である。例えば、有線又は無線接続を介して、フロア表示システムを商業施設又はその他の建物の入口通路のドア又はその他のドアに接続することができよう。そして、この接続を通じて、フロア表示システムは、ドアが開いたことを検出し、これに応答してディスプレイを起動することができる。
【００３３】
対話機能を提供する更に別の実施例においては、商業施設内のフロア表示システムは、特定の個人にカスタマイズされた表示情報を表示することができる。このような実施例においては、人間のＩＤを自動的に判定するメカニズムを具備可能である。例えば、図４に示されているように、本発明の実施例によるフロア表示システム１００は、人間が携帯するＩＤ装置４０２から識別情報を受信する能力を有する非接触式入力装置４０１を更に有することができる。この非接触式入力装置４０１は、例えば、ＩＤ装置４０２によって放射されたＩＤ情報を含む無線電磁信号を受信及び処理するべく構成された受信機とアンテナを有する無線ポートであってよい。ＩＤ装置４０２から取得したＩＤ情報は、無線ポート４０１からコントローラ１０３に供給可能であり、次いで、コントローラは、データベース１０９などのデータベースにアクセスし、そのＩＤ情報に基づいて、その人間に関連する情報を取得することができる。このような関連情報には、名前、年齢、購入履歴、来店頻度、最も一般的な購入アイテムなどが含まれる（但し、これらに限定されない）。そして、この関連情報に基づいて、特にその人間に関連する（又は、その人間用の）情報をフロア表示システムに表示させることができる。この表示には、例えば、個人的な挨拶が含まれる（但し、これは一例に過ぎない）。更には、フロア表示システムのコントローラは、その人間の購入履歴と、その商業施設において現在提供可能な販売又は販促アイテムとを相互参照することができよう。そして、フロア表示システムは、その人間の購入履歴に基づいて、その人間が潜在的に関心のある特定のアイテムが販売中であることをその人間に対して通知する情報を表示し、且つ、そのアイテムの通路の場所を表示することができる。更には、フロア表示システムは、そのアイテム用のクーポンを生成し、これにより、そのアイテムを購入するようにその人間を更に促すことも可能である。
【００３４】
非接触式入力装置４０１と共に使用可能なＩＤ装置４０２の一例は、「非接触式カード」と呼ばれるものである。非接触式カードの場合には、人間による読取装置への物理的な適用が不要である。非接触式カードは、カード内に埋め込まれたアンテナコイルとチップを具備し、無線電磁信号の形態で情報を出力するべく構成可能である。このタイプのカードに含まれているＩＤ情報は、図４に示されている非接触式入力装置４０１などのカードから出力される信号を受信及び処理するべく適合された受信機とアンテナを含む読取装置の所定のレンジ内をカードが通過する際に取得することができる。
【００３５】
前述の非接触式カードには、一般的な「スマート」カードのカテゴリに属するものが存在する。スマートカード（又は、電子カード）は、周知の装置であり、通常、埋め込まれたコンピュータチップを含み、従来のクレジット又はデビットカードのサイズを有している。チップには、通常、マイクロプロセッサ及びメモリが含まれており、これらは、最先端のセキュリティ機能によって保護可能なオペレーティングシステムとアプリケーションデータを保持可能である。現在、マーケットにおいては、いくつかのタイプのスマートカード技術が提供されており、その一例がメモリカードである。メモリカードは、メモリチップを含んでおり、小さなフロッピディスクに似ている。このタイプの（メモリ）チップには、ＩＤ情報のみならず、店舗の掛売り金額などのその他の種類の情報を保存することができる。
【００３６】
その他の実施例においては、表示をカスタマイズするべく、マイクロプロセッサカードと呼ばれるカードを使用して個別の識別情報を提供することができる。マイクロプロセッサカードには、情報の追加、削除、変更、及び更新が可能なマイクロプロセッサが含まれている。マイクロプロセッサカードは、入出力ポート、オペレーティングシステム、及びハードディスクを更に具備可能であり、従って、基本的に小型のコンピュータであると見なすことができる。
【００３７】
前述のスマートカード、メモリカード、及びマイクロプロセッサカードなどのＩＤカードは、図４に示されているように、必ずしも非接触式メカニズムによって読み取る必要はない。この代わりに、例えば、商業施設内の便利な場所に配置された読取装置に人間がカードを物理的に適用することによって読み取り又はスキャン可能である。この読取装置を識別システムに接続（又は、この一部を構成）可能である。そして、識別システムは、例えば、本発明のフロア表示システムに接続されたコンピュータ１０８及びデータベース１０９内に実装可能である。この結果、この識別システムが取得したＩＤ情報をフロア表示システムに伝達することができる。
【００３８】
人間による読取装置への物理的な適用を具体的に必要とするなんらかのタイプのカードを本発明のフロア表示システムと共に使用することができる。このようなカードは、「接触式カード」と呼ばれる。接触式カードは、カード内に埋め込まれた金のチップを具備可能である。この種のカードは、データを伝送するために、スマートカードリーダー内に挿入し、カード上の物理接点と直接的に接続することが必要である。接触式カードは、銀行取引、通信、健康管理、及びロイヤリティアプリケーション（自動車のサービス履歴の保存など）に頻繁に使用されている。
【００３９】
ハイブリッド／ツインカードと呼ばれるカードを使用して、人間の識別情報をフロア表示システムに提供することも可能である。これらのカードは、その内部に埋め込まれた２つのチップ（非接触式チップと接触式チップ）を具備している。これら２つのチップは、通常、互いに接続されてはいない。この代わりに、通常、一方のチップは、消費者のニーズに対してサービスし、もう一方のチップは、カード発行者のニーズに対してサービスしている。更に別の実施例においては、コンビネーションカードを使用可能である。これらのカードは、デュアルインターフェイスカードとも呼ばれ、接触式及び非接触式リーダーの両方をサポートするべく設計された１つのチップが含まれている。
【００４０】
以上のような技術を使用することにより、本発明の更なる実施例は、商業施設又はその他の公の場所における人間の移動を追跡するべく構成することができる。このような実施例においては、人々は、前述のように、非接触式メカニズムによって読み取り可能なＩＤカードを携帯可能である。そして、非接触式検出メカニズムを具備する複数のフロア表示システムを施設内の所定の場所に配置してＩＤカードを検出することにより、人間の移動を追跡することができる。これらのカードは、前述のように個人ごとに別個のものにすることも可能であり（即ち、個人を識別する）、或いは、共用として、例えば、ショッピングカートや買物かごに装着することも可能である。そして、このフロア表示システムが検出した移動の詳細内容を示す情報は、データベース内に記録され、小売業者は、例えば、店舗のレイアウトの最適化や衝動買いアイテムを配置するべき場所の識別の支援、及びこれらに類似する目的に、これらの情報を使用することができる。尚、非接触式ＩＤ装置を携帯（又は、その他の方法で搬送）する人間の追跡に利用可能な技術の例には、Ｂｌｕｅｔｏｏｔｈ技術、ＩＲＤＡ、ｒ−ｆリンク、又はフロア表示システムをリンクするその他のローカルエリアネットワーク技術が含まれる。
【００４１】
周知のように、いくつかの商業施設（例：ウォルマート（Wal-Mart）やターゲット（Target））及びホームセンタ（例：ホームデポット（Home Depot）及びロウズ（Lowes））は、非常に大規模であり、大量の商品を収容している。この結果、これらの店舗の買物客の中には、所望のアイテムを見付け出すのが困難な者もいる。従って、本発明の実施例によるフロア表示システムは、大規模な商業施設において彼又は彼女のとるべきルートを見出し、所望のアイテムを見出すための支援を人々に更に提供することができる。
【００４２】
このような実施例によれば、店舗に入った際に、買物客は、口頭で（例えば、マイクロフォン又はその他の音響記録装置を使用することにより）、又は手動で（例えば、キーボード、キーパッド、又はタッチモニタタイプの装置を使用して）、所望の製品又は製品のリストを機械に入力する。そして、この機械が、店舗内の所定の場所に配置されている複数のフロア表示システムが検出可能な「トリップチケット」を生成することになろう。
【００４３】
このトリップチケットは、前述の「スマートカード」などの装置であってよく、買物客が入力した製品リストなどの情報を保存する能力を有している。トリップチケット上の情報は、前述の様々な実施例との関連で前述したように、非接触式技術によって読み取り可能である。店舗内に分散しているフロア表示システムは、このトリップチケットを読み取るための非接触式技術を具備可能である。そして、買物客が店舗内を移動し、様々なフロア表示システムに接近した際に、このシステムは、トリップチケットを検出して読み取ることができる。そして、トリップチケットを検出し、その製品リストを読み取った際に、フロア表示システムは、所望の製品を見付けるために買物客が歩いていく方向を表示するべく構成可能である。又、必ずしもトリップチケットに製品リスト自体を実際に保存する必要はない。即ち、この代わりに、製品リスト又は識別可能なトリップチケットに対応するその他の情報を、フロア表示システムがアクセス可能なデータベース内に保存しておき、トリップチケットを検出並びに識別した際に取得するようにすることも可能である。
【００４４】
本発明の更に別の実施例においては、携帯電話機の検出機能を提供可能である。携帯電話機の使用の増加とその普及に伴って、社会的な摩擦が生じており、携帯電話機を鳴らして周りの人間に迷惑をかけるのは、多くの状況において、不適切且つ失礼なことであると考えられている。このため、本発明の実施例には、図４に示されている構成を使用する携帯電話機検出装置を含むことが可能であり、この場合には、非接触式入力装置４０１が携帯電話機検出装置である。携帯電話機の検出に使用可能な装置には、例えば、広いレンジのＲＦ信号をピックアップ可能な近距離ＲＦ検出器が含まれる。このような装置は、例えば、違法な聴取装置（即ち、「盗聴器（Bug）」）を検出することで知られている。このような市販品の一例が、マイクロアラート（MicroAlert：登録商標）システムであり、これは、携帯電話機やＲＦ放射を放出する装置の存在を検出する能力を有している。携帯電話機検出装置４０１は、電源投入されている携帯電話機を検出した際に、フロア表示システムのコントローラ１０３に信号を送信するべく構成可能である。そして、コントローラは、この信号に応答して、例えば、電源投入された携帯電話機が検出されたことを示すメッセージを有する表示を生成すると共に／又は、携帯電話機が検出されたことを示す警報を鳴動させることができる。更には、フロア表示システムは、携帯電話機の電源切断の要求を表示したり、携帯電話機の電源切断の可聴要求を鳴動させることも可能である。本発明によるこの実施例は、例えば、オーケストラハウス、ミュージカルや演劇の会場、映画館、又は着信音が不適切であると考えられるその他の場所の入口などの状況において、特に有益なアプリケーションを見出すことができよう。
【００４５】
本発明のその他の実施例によるフロア表示システムは、セキュリティアプリケーションに使用可能である。盗難を防止するべく商業施設において使用されている既存のセキュリティ技術には、施設の出入口を監視する「電子商品監視（Electronic Article Surveillance：ＥＡＳ）」技術が含まれる。この技術においては、ドア開口部のいずれかの側に配置されたアンテナを使用している。これらのアンテナは、商品監視技術のその他のコンポーネントに接続されており、１つのアンテナは、送信機として機能し、別のものは受信機として機能する。そして、認識装置（これは、誘導子及びコンデンサ、軟質磁気ストリップ又はワイヤ、或いは振動共振器を含む同調回路から構成可能である）が、この送信アンテナと受信アンテナ間を通過した際に、この間の伝送を妨げることにより、検出をトリガすることができる。店舗内の保護対象のそれぞれのアイテムには、店舗の出入口のいずれかの側に配置されているアンテナによって検出可能な認識装置を添付可能である。そして、商品監視技術は、これらの認識装置がアンテナを通過した際に、保護対象のアイテムを認識し、盗難発生の可能性について販売要員に通知するべく警報を鳴動させるのである。
【００４６】
この電子商品監視（ＥＡＳ）技術を本発明の実施例によるフロア表示システムに内蔵することができる。図５に示されている一実施例においては、例えば、本発明によるフロアマット１０２は、認識装置が添付された保護対象アイテムを検出するべく、フロアマットのエッジに沿って配置されたアンテナ５０１及び５０２を含むことができる。そして、これらのアンテナを商品監視技術のその他のコンポーネントに接続し、保護対象のアイテムを認識できるようにすることができる。そして、保護対象アイテムの盗難の可能性を検出するべく、このようなアンテナを含む１つ又は複数のフロアマットを店舗の出入口の近くのフロアに配置可能である。この結果、認識装置が添付された保護対象アイテムと共に店舗を出ようとフロアマット上を人間が歩くと、認識装置が、２つのアンテナ間（又は、この近く）を通過することになり、この結果、商品監視技術によって検知及び認識される。そして、保護対象アイテムが検出された場合には、フロア表示システムによって可視警報を表示させたり、可聴警報を鳴動させることができる。又、本発明の実施例によるフロア表示システムを利用する電子商品監視システムは、例えば、第３アンテナ５０３と共に、使用することも可能である。この第３アンテナは、ＥＡＳ装置の送信アンテナであってよく、フロアマット内の１つ又は複数のアンテナは、受信機アンテナであってよい。或いは、この代わりに、第３アンテナ５０３は、追加の受信機アンテナであり、フロアマットに受信機及び送信機アンテナの両方が含まれていてもよい。この第３アンテナ５０３は、例えば、天井の内部又は天井から吊り下げることにより、フロアマットの上方に配置可能であろう。又、オーバーヘッドアンテナと協働可能な１つのアンテナのみをフロアマットが含む実施例も存在する。
【００４７】
本発明の更に別の実施例においては、フロアマットを画像投影装置と組み合わせて使用することができる。このような実施例においては、フロアマットは、離れたところから投影装置が画像を投影するための表面を提供する。図６Ａ及び図６Ｂは、離れたところからフロアマット上に画像を投影するシステムを示している。このようなシステムは、例えば、食料品店などの商業施設の通路内において使用可能であろう。フロアマット６０８及び６０９は、商業施設の棚６０１、６０２に隣接するフロア６１０上に配置することができる。そして、投影装置６０３、６０４を、フロアマット上方のレールシステム６０５、６０６などのガイド部材に移動可能に装着可能であり、このレールシステムは、例えば、天井に装着可能である。この画像投影装置６０３、６０４は、プレゼンテーション用にラップトップコンピュータと共に使用される装置に類似した電子プロジェクタ、或いは所与の距離において表面上に画像を合焦可能な光学系を有するその他の画像投影装置であってよい（但し、これらは一例に過ぎない）。尚、フロアマット６０８、６０９は、例えば、投影された画像を表示するべく、白色又は銀色の表面を具備することができる。
【００４８】
フロアマット上に投影された画像は、例えば、図１に関連して説明したように投影装置をシステムのコンポーネントに接続することにより、前述のように、任意のコンテンツを含むべく構成可能にすることができる。即ち、投影装置を、コントローラ、ストレージ媒体、ネットワークなどに接続することにより、投影装置を制御することができる。例えば、投影装置は、隣接する棚６０１、６０２の製品に関連するグラフィック及び英数字情報をフロアマット６０８及び６０９上に投影するべく構成可能である。
【００４９】
投影装置は、レールシステムに沿って移動可能にすることができる。図６Ｂは、右の棚６０２及び関連するレースシステム６０６、投影装置６０４、及びフロアマット６０９の正面図を示している。投影装置６０４は、例えば、自動化産業において周知のモーターを有するプーリー、チェーン、又はスライドシステムにより、手動又は自動でレールシステム６０６に沿って移動可能にすることができよう。投影装置６０４は、例えば、所望の情報を表示する対象の棚のアイテムの前の場所に移動可能である。そして、棚６０２の前に対面して立っている人間から画像が見えるように、対応するフロアマット６０９を投影装置６０４の下に配置可能である。尚、フロアマット６０９は、投影装置６０４と手動でアライメントするか、或いは、例えば、フォトダイオード及び対応する検出器システムを使用することにより、自動的にアライメントすることも可能である。具体的には、追加のフォトダイオードをフロアマット内に提供すると共に、フロアマットと投影装置の正しいアライメントを実現するためのフォトダイオード検出器を投影装置に提供可能である。当然のことながら、この正反対の構成も可能である（即ち、検出器ダイオードをフロアマット内に配置すると共に、送信ダイオードを投影装置上に配置して、正しい位置にあることを示す信号を、フロアマットから、投影装置を移動させる駆動メカニズムに送信する）。
【００５０】
図６Ｃには、画像投影装置と組み合わせてフロアマットを使用する代替実施例が示されている。この図６Ｃに示されているように、実施例によれば、画像投影装置６２５をフロア６１０の凹部６２０内に提供可能である。そして、この凹部の上方にフロアマット６５０を配置して、画像投影装置６２５によって投影される画像を表示可能な表面を提供する。従って、この図６Ｃの実施例においては、フロアマット６５０は、その下部表面６５１上に投影された画像を、その上部表面６５２上において見ることが可能な「透過性」を有する媒体から形成可能である。又、画像投影装置をレール６３０に沿って移動可能にすることも可能である。
【００５１】
図７には、本発明の更に別の実施例が示されている。この図７に示されているように、フロア表示システム１００は、データ入出力装置７００に接続可能である。このデータ入出力装置は、フロア表示システムによって処理される特定のデータを入力するための店舗の顧客などのユーザー用のメカニズムを具備可能である。例えば、データ入出力装置は、マイクロフォンなどの音声入力装置７０１及び／又は英数字データを入力するキーボード７０２を含むことができる。データ入出力装置は、ユーザーから音声入力装置７０１に入力された発話内容の音声認識処理を実行するコンピュータ及びソフトウェアを有することができる。又、このデータ入出力装置は、印刷出力７０３を生成するプリンタを更に有することも可能である。
【００５２】
このフロア表示システム１００及びデータ入出力装置は、商業施設内の便利な場所に配置可能である。当該施設を訪問した顧客は、このデータ入出力装置に接近可能であり、この装置は、発話又はタイピングに適した高さに配置することができる。そして、顧客は、例えば、アイテム又はアイテムのリストを音声入力装置に発話入力するか、或いは、１つ又は複数のアイテムをキーボードにタイプ入力することができる。これに応答して、フロア表示システムは、それらのアイテムの１つ又は複数の広告及び／又は１つ又は複数のアイテムの施設内における場所などの対応する出力を表示すると共に／又は、１つ又は複数のアイテム用の１つ又は複数のクーポンなどの（又は、その場所を指定する）出力７０３を生成することができる。
【００５３】
以上、本発明のいくつかの実施例について例示及び／又は説明した。但し、本発明の変更及び変形は、前述の開示内容に含まれると共に、本発明の精神と意図する範囲を逸脱することなく添付の請求項の範囲に属することを理解されたい。
【図面の簡単な説明】
【００５４】
【図１】本発明の実施例によるフロア表示システムを示す図である。
【図２Ａ】フロア表示システムのフロアマットの詳細を示す図である。
【図２Ｂ】フロア表示システムのフロアマットの詳細を示す図である。
【図２Ｃ】フロア表示システムのフロアマットの詳細を示す図である。
【図２Ｄ】フロア表示システムのフロアマットの詳細を示す図である。
【図２Ｅ】フロア表示システムのフロアマットの詳細を示す図である。
【図３】固定した非電子部分と動的な電子部分を含む「混合媒体」表示を有するフロアマットを示す図である。
【図４】ＩＤ装置からＩＤ情報を取得する非接触式メカニズムを含むフロア表示システムを示す図である（但し、この図は、本明細書において詳述されているその他の実施例にも関係するものである）。
【図５】セキュリティ機能を含むフロア表示システムを示す図である。
【図６Ａ】画像投影装置によってフロアマット上に画像を投影するフロア表示システムを示す図である。
【図６Ｂ】画像投影装置によってフロアマット上に画像を投影するフロア表示システムを示す図である。
【図６Ｃ】画像投影装置によってフロアマット上に画像を投影するフロア表示システムを示す図である。
【図７】商業施設内の所望のアイテムを入力すると共に、対応する場所を出力するデータ入出力装置を含むフロア表示システムを示す図である。
【図１】
2005526282.tif 000003
2005526282.tif 000004
2005526282.tif 000005
【図３】
2005526282.tif 000006
【図４】
2005526282.tif 000007
【図５】
2005526282.tif 000008
2005526282.tif 000009
2005526282.tif 000010
【図７】
2005526282.tif 000011
【手続補正書】
【提出日】平成17年4月4日(2005.4.4)
【手続補正１】
【補正対象書類名】特許請求の範囲
【補正対象項目名】全文
【補正方法】変更
【補正の内容】
【特許請求の範囲】
【請求項１】
フロア表示システムであって、
フロアマットと、
前記フロアマットと関連付けられた電子表示装置と、
を有し、
前記電子表示装置は、電子的に変更可能な任意のコンテンツを表示するべく構成可能であるフロア表示システム。
【請求項２】
電子的に変更可能な任意のオーディオコンテンツを出力するべく構成可能なオーディオ装置を更に有する請求項１に記載のフロア表示システム。
【請求項３】
人間の存在又は活動に関連する標識を検出し、これに応答して、対応するアクションを前記フロア表示システムに実行させるべく構成されている検出メカニズムを更に有する請求項１に記載のフロア表示システム。
【請求項４】
前記検出メカニズムは、音響検知装置を有している請求項３に記載のフロア表示システム。
【請求項５】
前記検出メカニズムは、モーション検出装置を有している請求項３に記載のフロア表示システム。
【請求項６】
前記アクションは、所定の表示を生成する請求項３に記載のフロア表示システム。
【請求項７】
前記アクションは、所定のオーディオ出力を生成する請求項３に記載のフロア表示システム。
【請求項８】
前記検出メカニズムは、ＩＤ装置からＩＤ情報を受信するべく構成された非接触式入力装置を有している請求項３に記載のフロア表示システム。
【請求項９】
前記フロア表示システムは、前記ＩＤ情報に対応する特定の人間に関係するカスタマイズされた表示を生成するべく構成されている請求項８に記載のフロア表示システム。
【請求項１０】
前記非接触式入力装置は、商業施設内の少なくとも１つのアイテムに対応するトリップチケットから情報を受信するべく構成されている請求項８のフロア表示システム。
【請求項１１】
前記フロア表示システムは、前記商業施設内における前記少なくとも１つのアイテムの場所を表示するべく構成されている請求項１０に記載のフロア表示システム。
【請求項１２】
前記検出メカニズムは、携帯電話機検出装置を有している請求項３に記載のフロア表示システム。
【請求項１３】
前記検出メカニズムは、盗難から保護するべく商業施設内のアイテムを検出するセキュリティ装置を含んでいる請求項３に記載のフロア表示システム。
【請求項１４】
前記フロアマット及び電子表示装置は、足及び車輪の往来によって繰り返し横断されるべく構成されている請求項１に記載のフロア表示システム。
【請求項１５】
前記フロアマットは、前記足又は車輪の往来による前記フロアマットの横断を促進するべく、少なくと１つの傾斜表面を含んでいる請求項１４に記載のフロア表示システム。
【請求項１６】
前記フロアマットは、前記足又は車輪の往来による前記フロアマットの横断を促進するべく、その周囲の全体に傾斜表面を含んでいる請求項１４に記載のフロア表示システム。
【請求項１７】
前記フロアマットは、その周囲の全体に傾斜表面を具備する複合構造を形成しており、前記足及び車輪の往来による前記複合構造の横断を促進するべく、そのエッジに沿って結合可能な２つの部分からなる構造として形成されている請求項１４に記載のフロア表示システム。
【請求項１８】
前記電子表示装置は、表示の動的部分を形成しており、該動的部分は、前記表示の静的部分と組み合わせられている請求項１に記載のフロア表示システム。
【請求項１９】
前記フロア表示システムは、ネットワークに含まれている請求項１に記載のフロア表示システム。
【請求項２０】
前記電子表示装置は、発光ダイオード、有機発光ダイオード、エレクトロルミネッセンスディスプレイ、プラズマディスプレイ、電界放出ディスプレイ、強誘電性ディスプレイ、光ファイバディスプレイ、及びホログラフィックディスプレイの中の少なくとも１つを含む請求項１に記載のフロア表示システム。
【請求項２１】
前記フロア表示システムは、前記フロアマットを横断する往来から導出される機械的なエネルギーによって電源供給される請求項１に記載のフロア表示システム。
【請求項２２】
前記フロア表示システムは、前記ネットワークに対して無線で接続されている請求項１９に記載のフロア表示システム。
【請求項２３】
前記無線接続は、ＵＷＢモードの伝送を使用している請求項２２に記載のフロア表示システム。
【請求項２４】
前記電子表示装置は、少なくとも英数字データ及びグラフィック画像を、別個に又は組み合わせにより、且つ、静的又は移動する状態で、或いは静的又は移動する状態の両方において、表示する能力を有する請求項１に記載のフロア表示システム。
【請求項２５】
前記音響検知装置は、無指向性マイクロフォンを含んでいる請求項４に記載のフロア表示システム。
【請求項２６】
前記モーション検出装置は、能動型のモーション検出を使用している請求項５に記載のフロア表示システム。
【請求項２７】
前記モーション検出装置は、受動型のモーション検出を使用している請求項５に記載のフロア表示システム。
【請求項２８】
前記能動型のモーション検出は、エネルギーを放射する装置を、前記放射したエネルギーを検出する装置と組み合わせて使用する段階を含む請求項２６に記載のフロア表示システム。
【請求項２９】
前記受動型のモーション検出は、赤外線エネルギーを検出する段階を含んでいる請求項２７に記載のフロア表示システム。
【請求項３０】
前記ＩＤ装置は、スマートカードである請求項８に記載のフロア表示システム。
【請求項３１】
前記フロア表示システムは、読取装置への前記ＩＤ装置の物理的な適用によってＩＤ装置からＩＤ情報を得るべく構成された前記読取装置を含む識別システムに接続されており、前記フロア表示システムは、前記ＩＤ情報に対応する特定の人間に関係するカスタマイズされた表示を生成するべく構成されている請求項１に記載のフロア表示システム。
【請求項３２】
前記ＩＤ装置は、スマートカードである請求項３１に記載のフロア表示システム。
【請求項３３】
前記携帯電話機検出装置は、近距離ＲＦ検出器を含んでいる請求項１２に記載のフロア表示システム。
【請求項３４】
前記セキュリティ装置は、認識装置が添付されたアイテムを検出するべく構成されたアンテナを有している請求項１３に記載のフロア表示システム。
【請求項３５】
特定のユーザー入力を受信し、対応する出力を生成するべく構成されたデータ入出力装置を更に有する請求項１に記載のフロア表示システム。
【請求項３６】
前記データ入出力装置は、音声認識装置を含んでいる請求項３５に記載のフロア表示システム。
【請求項３７】
前記データ入出力装置は、キーボードを含んでいる請求項３５に記載のフロア表示システム。
【請求項３８】
前記データ入出力装置は、プリンタを含んでいる請求項３５に記載のフロア表示システム。
【請求項３９】
前記対応する出力は、ユーザーによって入力されたアイテムの場所である請求項３５に記載のフロア表示システム。
【請求項４０】
前記対応する出力は、ユーザーによって入力されたアイテム用のクーポンである請求項３５に記載のフロア表示システム。
【請求項４１】
フロア表示システムであって、
フロアマットと、
離れたところから、前記フロアマット上に、電子的に変更可能な任意の画像コンテンツを投影するべく構成された画像投影装置と、
を有するフロア表示システム。
【請求項４２】
前記画像投影装置は、該画像投影装置を前記フロアマットに対して所望の場所に配置できるようにするべく、ガイダンス部材に移動可能に装着されている請求項４１に記載のフロア表示システム。
【請求項４３】
前記画像投影装置は、前記フロアマットと自動的にアライメントするように構成されている請求項４１に記載のフロア表示システム。
【請求項４４】
前記フロアマットは、白色又は銀色の表面を具備している請求項４１に記載のフロア表示システム。
【請求項４５】
前記画像投影装置は、フロアの凹部内に配置されており、前記フロアマットは、前記凹部の上方に配置されている請求項４１に記載のフロア表示システム。
【請求項４６】
前記フロアマットは、透過性を有する媒体を有している請求項４５に記載のフロア表示システム。
【請求項４７】
前記音響検知装置は、指向性マイクロフォンを含んでいる請求項４に記載のフロア表示システム。
【手続補正２】
【補正対象書類名】明細書
【補正対象項目名】００１５
【補正方法】変更
【補正の内容】
【００１５】
コントローラは、ストレージ媒体１０４に接続可能であり、このストレージ媒体は、ＲＡＭ（Random Access Memory）、ＲＯＭ（Read-Only Memory）、フラッシュ又はその他の不揮発性半導体電子ストレージ、ＥＥＰＲＯＭ（Electrically Erasable and Programmable Read Only Memory）、或いは、磁気及び／又は光ディスクストレージを含むデジタルデータの保存に適したどのような形態の媒体であってもよい。このストレージ媒体１０４は、例えば、コントローラ１０３が実行する制御ソフトウェアと、表示するベく選択されたビデオコンテンツを電子ディスプレイ１０１上の制御ソフトウェアの制御下において保存することができる。このコントローラに、ディスプレイモニタ及びキーボードを有するパーソナルコンピュータなどのユーザーインターフェイス（図示されてはいない）を接続して特定の制御プログラムなどの特定のユーザー入力によるコントローラの設定を可能にすることにより、特定の表示及び／又はオーディオ出力を生成することができる。又、サウンドカード１０を介して、ラウドスピーカなどのオーディオ装置１１１をコントローラ１０３に更に接続可能である。このオーディオ装置１１１は、コントローラ１０３の制御下において、ストレージ媒体１０４内に保存されている選択されたオーディオコンテンツを出力することができる。フロア表示システム１００の各コンポーネントには、電源１１４から電源を供給可能である。又、このフロア表示システムは、後程詳述するように、フロア表示システムの様々な対話型アプリケーションを提供するための検知装置１１３を更に有することができる。そして、この検知装置１１３をコントローラ１０３に接続し、これに信号を供給可能である。尚、このコントローラに対する検知装置の接続は、有線又は無線であってよい。
【手続補正３】
【補正対象書類名】明細書
【補正対象項目名】００１９
【補正方法】変更
【補正の内容】
【００１９】
前述のように、フロア表示システムには、電源１１４を含むことができる。電源は、コードを通じて壁面コンセント電源に接続して供給されるか、或いは、電池を使用することによってフロア表示システムに供給される。使用する電池は、非充電式又は充電式のいずれであってもよい。又、フロア表示システムに電源を提供するその他の可能な方法には、周辺光を電池に保存可能な（又は、表示システムに直接供給するべく使用される）電気に変換する光電池の使用が含まれる。この光電池は、例えば、フロアマット内に収容したり、或いは電源コードを通じてディスプレイに遠隔接続することができよう。
【手続補正４】
【補正対象書類名】明細書
【補正対象項目名】００２５
【補正方法】変更
【補正の内容】
【００２５】
図３は、実施例による電子表示装置１０１の可能な構成の１つを示している。この図３においては、電子表示装置１０１は、「混合媒体」表示の動的部分を構成している。即ち、この図３の表示は、フロアマット１０２上部の露出表面が提示する表示全体の一部が電子的であり、その他の部分がそうではないという観点において、混合媒体表示である。図３においては、表示の非電子的であって固定された（即ち、静的な）部分３０２が、動的な（即ち、変化可能な）電子的部分１０１と組み合わせられている。但し、本明細書において使用されているこの「静的」という用語は、「非電子的」と同一視されるべきではないことに留意されたい。この例においては、固定部分は、「今日は、キャンベルスープが、    引です。」となっている。この固定部分は、例えば、フロアマット１０２の材料上部の露出部分に印刷可能であろう。一方、動的な部分は、フロアマット内に収容されている前述の表示技術の中の１つ又は複数のものを利用する電子表示装置１０１によって実装可能である。前述のように、この動的な部分を電子的に変更し、任意のコンテンツを表示することができる。例えば、この動的部分により、「３０％」や「４０セント」などのアイテムの販売価格に関連する情報を表示可能であろう。この結果、図３において、フロアディスプレイの全体は、「本日、キャンベルスープは、３０％引です。」又は「本日、キャンベルスープは、４０セント引です。」と表示することになる。このような静的部分と動的部分のメッセージの組み合わせを利用することにより、表示の電子的部分のサイズが大幅に削減され、この結果、コストを削減することができる。更には、スクローリング又はブリンキングのいずれかによってメッセージを動的に変更するべく、表示の動的部分を設計及びエンジニアリングすると共に、表示内に配置されているライトをフラッシュ又はブリンクさせて表示に注意を引き付けることにより、近くにいる人間の表示に対する認知度を大幅に向上させることができる。
【手続補正５】
【補正対象書類名】図面
【補正対象項目名】図６Ｃ
【補正方法】変更
【補正の内容】
【図６Ｃ】
2005526282.tif 000012
【国際調査報告】
2005526282.tif 000013
2005526282.tif 000014
2005526282.tif 000015